(57)【特許請求の範囲】
【請求項１】
一個のスプリングを収容したポケットを複数個一列に連結して一連ポケットコイルを形成し、横臥者の上半身が位置する上半身領域及び／又は下半身が位置する下半身領域に、前後に伸延させた一連ポケットコイルを左右に並べて配置し、前記左右に並べた一連ポケットコイルのスプリングの硬さを交互に異ならせ、横臥者の腰部が位置する腰部領域に、左右に伸延させた一連ポケットコイルを前後に並べて配置し、前記前後に並べた一連ポケットコイルのスプリングの硬さを交互に異ならせ、上半身領域と下半身領域では、基準となる硬さのスプリングとそれよりも硬いスプリングを用い、腰部領域では、基準となる硬さのスプリングとそれよりも柔らかいスプリングを用いて、平均的に上半身領域や下半身領域よりも腰部領域が柔らかくなるようにしたことを特徴とするマットレス。
【発明の詳細な説明】
【技術分野】
【０００１】
本発明は、マットレスに関するものである。
【背景技術】
【０００２】
ベッド等で使用されるマットレスは、矩形箱型袋状の外装体の内部に上下に伸縮する複数個のスプリングを収容して構成している。
【０００３】
そして、従来より、横臥者の寝心地を向上させるために、縦長矩形板状のマットレスを横臥者の主に上半身が位置する上半身領域と腰部が位置する腰部領域と下半身が位置する下半身領域とに前後に区画し、腰部領域全域と上半身及び下半身領域全域とでスプリングの硬さを異ならせたものがある（たとえば、特許文献１参照。）。
【先行技術文献】
【特許文献】
【０００４】
【特許文献１】特開２００４−１２１５１５号公報
【発明の概要】
【発明が解決しようとする課題】
【０００５】
しかしながら、横臥者はマットレス上で手や足や胴体を前後縦方向に伸延させた状態で横臥しているために、上半身や下半身はマットレス上で前後に隣接するスプリングで支持されており、一方、横臥者の腰部は上半身や下半身に比べて左右横方向に広がった状態でマットレスのスプリングに支持されている。
【０００６】
そのため、単にマットレスの腰部領域全域と上半身及び下半身領域全域とでスプリングの硬さを異ならせただけでは、横臥者の寝心地を良好なものとすることはできない。
【課題を解決するための手段】
【０００７】
そこで、請求項１に係る本発明では、マットレスにおいて、一個のスプリングを収容したポケットを複数個一列に連結して一連ポケットコイルを形成し、横臥者の上半身が位置する上半身領域及び／又は下半身が位置する下半身領域に、前後に伸延させた一連ポケットコイルを左右に並べて配置し、前記左右に並べた一連ポケットコイルのスプリングの硬さを交互に異ならせ、横臥者の腰部が位置する腰部領域に、左右に伸延させた一連ポケットコイルを前後に並べて配置し、前記前後に並べた一連ポケットコイルのスプリングの硬さを交互に異ならせ、平均的に上半身領域や下半身領域よりも腰部領域が柔らかくなるようにした。
【０００８】
また、請求項１に係る本発明では、上半身領域と下半身領域では、基準となる硬さのスプリングとそれよりも硬いスプリングを用い、腰部領域では、基準となる硬さのスプリングとそれよりも柔らかいスプリングを用いた。
【発明の効果】
【００１１】
そして、本発明では、以下に記載する効果を奏する。
【００１２】
すなわち、本発明では、マットレスにおいて、一個のスプリングを収容したポケットを複数個一列に連結して一連ポケットコイルを形成し、横臥者の上半身が位置する上半身領域及び／又は下半身が位置する下半身領域に、前後に伸延させた一連ポケットコイルを左右に並べて配置することにしているために、上半身や下半身を前後縦方向に伸延させた状態でマットレスに横臥する者の上半身や下半身を前後縦方向に伸延させた一連ポケットコイルで支持することになり、一連ポケットコイルに内蔵された前後に隣接する複数個のスプリングが連携して横臥者の上半身や下半身を支持し、横臥者の寝心地を良好なものに向上させることができる。
【００１３】
特に、左右に並べた一連ポケットコイルのスプリングの硬さを交互に異ならせた場合には、硬いスプリングと柔らかいスプリングとで横臥者の上半身や下半身を左右に包むように支持することになり、横臥者の寝心地をより一層良好なものに向上させることができる。
【００１４】
また、本発明では、マットレスにおいて、一個のスプリングを収容したポケットを複数個一列に連結して一連ポケットコイルを形成し、横臥者の腰部が位置する腰部領域に、左右に伸延させた一連ポケットコイルを前後に並べて配置することにしているために、マットレスに横臥する者の左右横方向に広がる腰部を左右横方向に伸延させた一連ポケットコイルで支持することになり、一連ポケットコイルに内蔵された左右に隣接する複数個のスプリングが連携して横臥者の腰部を支持し、横臥者の寝心地を良好なものに向上させることができる。
【００１５】
特に、前後に並べた一連ポケットコイルのスプリングの硬さを交互に異ならせた場合には、硬いスプリングと柔らかいスプリングとで横臥者の腰部を柔らかく支持することになり、横臥者の寝心地をより一層良好なものに向上させることができる。
【図面の簡単な説明】
【００１６】
【図１】本発明に係るマットレスを示す斜視図。
【図２】一連ポケットコイルを示す平面図（ａ）、側面図（ｂ）。
【図３】マットレスを示す平面図（ａ）、正面図（ｂ）、右側面図（ｃ）。
【図４】マットレスを示す説明図。
【発明を実施するための形態】
【００１７】
以下に、本発明に係るマットレスの具体的な構成について図面を参照しながら説明する。
【００１８】
図１に示すように、マットレス１は、前後縦方向に伸延する矩形箱型形状をしており、袋状の外装体２の内部に上下一対の矩形枠状の枠体3,3を収容し、枠体3,3の内部に複数の一連ポケットコイル4〜7を収容している。
【００１９】
一連ポケットコイル4〜7は、硬さが異なるものの、同様の構成となっており、代表として一連ポケットコイル４の構成について説明すると、図２に示すように、横長の袋８を複数個（ここでは、10個）のポケット９に区画するとともに、各ポケット９に１個のスプリング10を収容することで、１個のスプリング10を収容したポケット９を複数個（ここでは、10個）一列に並べて連結した構成となっている。
【００２０】
この一連ポケットコイル4〜7は、同一の袋８に収容されているために、荷重に対して隣接するスプリング10が連携して概ね連続的に変形するようになっている。このように、従来の１個のポケットコイルが荷重を点で支持するのに対して、一連ポケットコイル4〜7では、荷重を線で支持するようになっている。そのため、従来のポケットコイルでは、横臥者が一点一点で硬く支持されているように感じるのに対して、一連ポケットコイル4〜7では、横臥者が線で連続して柔らかく包まれて支持されているように感じる。
【００２１】
なお、図３に示すように、マットレス１において、一連ポケットコイル４は、基準となる硬さのスプリング10を10個前後縦方向に一列に並べた構成となっている。一連ポケットコイル５は、基準となる硬さのスプリング10よりも硬いスプリング11を10個前後縦方向に一列に並べた構成となっている。一連ポケットコイル６は、基準となる硬さのスプリング10を16個左右横方向に一列に並べた構成となっている。一連ポケットコイル７は、基準となる硬さのスプリング10よりも柔らかいスプリング12を16個左右横方向に一列に並べた構成となっている。
【００２２】
そして、マットレス１は、図３及び図４に示すように、横臥者の主に頭や肩や腕や胸などの上半身が位置することになる上半身領域13と、横臥者の主に足などの下半身が位置することになる下半身領域14と、上半身領域13と下半身領域14との間で横臥者の主に腰や尻などの腰部が位置することになる腰部領域15とに仮想的に前後三領域に区画したときに、上半身領域13及び下半身領域14では、スプリング10,11の硬さの異なる前後縦方向に伸延させた一連ポケットコイル4,5を左右横方向に交互に並べて複数個（ここでは、16個）配置し、一方、腰部領域15では、スプリング10,12の硬さの異なる左右横方向に伸延させた一連ポケットコイル6,7を前後縦方向に交互に並べて複数個（ここでは、12個）配置している。
【００２３】
これにより、マットレス１は、上半身領域13及び下半身領域14では、横臥時に比較的前後縦方向に伸延した状態となる横臥者の頭や肩や腕や胸などの上半身や足などの下半身を前後縦方向に伸延させた一連ポケットコイル4,5で支持し、一方、腰部領域15では、横臥時に比較的左右横方向に広がる状態となる横臥者の腰や尻などの腰部を左右横方向に伸延させた一連ポケットコイル6,7で支持する。
【００２４】
このように、マットレス１は、横臥者の身体の伸延する方向と同一の方向に伸延させた一連ポケットコイル4〜７で横臥者の身体を部分的に支持することで、一連ポケットコイル4〜７によって横臥者をあたかも線で連続して柔らかく包むように支持しているかのような感覚を横臥者に与えることができる。
【００２５】
また、マットレス１は、上半身領域13及び下半身領域14では、基準となる硬さのスプリング10とそれよりも硬いスプリング11を用い、腰部領域15では、基準となる硬さのスプリング10とそれよりも柔らかいスプリング12を用いることで、全体的（平均的）に上半身領域13及び下半身領域14よりも腰部領域15が柔らかくなるようにして、身体上比較的張出した腰や尻を沈みこませた状態で横臥者の身体全体を良好に支持するようにしている。
【００２６】
なお、上記マットレス１では、各領域13〜15においてスプリング10〜12の硬さを交互に異ならせているが、各領域13〜15毎或いは全領域13〜15で同じ硬さのスプリングを用いるようにしてもよく、また、上半身領域13と下半身領域14とで異なる硬さのスプリングを用いるようにしてもよい。また、上記マットレス１では、全領域13〜15に一連ポケットコイル4〜7を配置しているが、これに限られず、いずれかの領域13〜15のみに一連ポケットコイル4〜7を配置するようにしてもよい。
【００２７】
以上に説明したように、上記マットレス１は、一個のスプリング10(11)を収容したポケット９を複数個一列に連結して一連ポケットコイル4(5)を形成し、横臥者の上半身が位置する上半身領域13及び／又は下半身が位置する下半身領域14に、前後に伸延させた一連ポケットコイル4(5)を左右に並べて配置した構成となっている。
【００２８】
そのため、上記構成のマットレス１では、上半身や下半身を前後縦方向に伸延させた状態でマットレス１に横臥する者の上半身や下半身を前後縦方向に伸延させた一連ポケットコイル4(5)で支持することになり、一連ポケットコイル4(5)に内蔵された前後に隣接する複数個のスプリング10(11)が連携して横臥者の上半身や下半身を支持し、横臥者の寝心地を良好なものに向上させることができる。
【００２９】
特に、上記マットレス１では、左右に並べた一連ポケットコイル4,5のスプリング10,11の硬さを交互に異ならせた構成となっている。
【００３０】
そのため、上記構成のマットレス１では、硬いスプリング11と柔らかいスプリング10とで横臥者の上半身や下半身を全体的に左右に包むように支持することができ、同じ硬さのスプリング10(11)で単調に支持されるのとは異なり、横臥者の寝心地をより一層良好なものに向上させることができる。
【００３１】
また、上記マットレス１は、一個のスプリング10(12)を収容したポケット９を複数個一列に連結して一連ポケットコイル6(7)を形成し、横臥者の腰部が位置する腰部領域15に、左右に伸延させた一連ポケットコイル6(7)を前後に並べて配置した構成となっている。
【００３２】
そのため、上記構成のマットレス１では、マットレス１に横臥する者の左右横方向に広がる腰部を左右横方向に伸延させた一連ポケットコイル6(7)で支持することになり、一連ポケットコイル6(7)に内蔵された左右に隣接する複数個のスプリング10(12)が連携して横臥者の腰部を支持し、横臥者の寝心地を良好なものに向上させることができる。
【００３３】
特に、上記マットレス１では、前後に並べた一連ポケットコイル6,7のスプリング10,12の硬さを交互に異ならせた構成となっている。
【００３４】
そのため、上記構成のマットレス１では、硬いスプリング10と柔らかいスプリング12とで横臥者の腰部を柔らかく支持することができ、同じ硬さのスプリング10(12)で単調に支持されるのとは異なり、横臥者の寝心地をより一層良好なものに向上させることができる。
【符号の説明】
【００３５】
１  マットレス                    ２  外装体
３  枠体                          4〜7  一連ポケットコイル
８  袋                            ９  ポケット
10〜12  スプリング                13  上半身領域
14  下半身領域                    15  腰部領域
【図１】
0005227447.tif 000002
【図２】
0005227447.tif 000003
【図３】
0005227447.tif 000004
【図４】
0005227447.tif 000005